(57)【要約】【課題】  「見せる」収納と「隠す」収納とを両立させつつ、いずれの収納においても取り出したり仕舞ったりすることを円滑に行うことができる洗面化粧台を提供すること。【解決手段】  この洗面化粧台ＤＲは、洗面ボウル３０が設けられているカウンター１０と鏡２０とを備え、カウンター１０は、化粧用領域１１を有し、その下方に配置された物品が視認可能なように透明な部材で形成されており、化粧用領域１１の下方には、上方が開放された引き出しを有する引出収納部４１が設けられ、化粧用領域１１の奥側上面には、内部に収納された物品が少なくとも明瞭には視認できないように形成されている隠蔽収納部５０が設けられており、隠蔽収納部５０は、半透明又は不透明な部材で形成されている蓋を有し、蓋を開けた場合に、化粧用領域１１の前に着座した使用者から内部が視認可能なように形成されている。【選択図】  図２
2009082390.tif 000002
【特許請求の範囲】
【請求項１】
洗面ボウルが設けられているカウンターと、前記カウンターの奥側上方に立設されている鏡とを備える洗面化粧台であって、
前記カウンターは、前記洗面ボウルが設けられている部分よりも奥行きの狭い化粧用領域を有し、少なくとも前記化粧用領域においてその下方に配置された物品が視認可能なように透明な部材で形成されており、
前記化粧用領域の下方には、上方が開放された引き出しを有する引出収納部が設けられ、
前記化粧用領域の奥側上方には、内部に収納された物品が少なくとも明瞭には視認できないように半透明又は不透明な部材で形成されている隠蔽収納部が設けられており、
前記隠蔽収納部は、前記半透明又は不透明な部材で形成されている蓋を有し、前記蓋を開けた場合に、前記化粧用領域の前に着座した使用者から内部が視認可能なように形成されていることを特徴とする洗面化粧台。
【請求項２】
前記蓋を開けた状態において、前記蓋は前記隠蔽収納部の前縁よりも奥側に位置することを特徴とする請求項１に記載の洗面化粧台。
【発明の詳細な説明】
【技術分野】
【０００１】
本発明は、洗面化粧台に関する。
【背景技術】
【０００２】
洗面ボウルが取り付けられたカウンターと、カウンターの奥側に設けられた鏡とを備える洗面化粧台は広く用いられている。そのような洗面化粧台において、収納に着目して様々な提案がなされている（例えば、下記特許文献１参照）。下記特許文献１に記載されている洗面化粧台は、洗面化粧台の天板を透明なガラス板によって構成しており、その天板から透かして見える位置に収納空間を設けている。
【特許文献１】特開平１０−２１６０３３号公報
【発明の開示】
【発明が解決しようとする課題】
【０００３】
上記特許文献１に記載されている洗面化粧台は、その収納空間にネックレスやイヤリングといった装身具や化粧用品等を収納して、使用者が洗面化粧台の前に位置してそれらを見渡すことで、それら装身具や化粧用品を楽しみながら好きなものだけを選ぶことができるように構成されている。また、上記特許文献１に記載されている洗面化粧台は、洗面ボウルの排水口に排水ポットを連結し、洗面ボウルからの水を排水ポットに溜められるようにすることで、給排水設備が設置されていない寝室等にも配置できるようにしている。
【０００４】
ところで、洗面化粧台に収納するものは、必ずしも外から見えて好ましいものばかりではない。上記特許文献１に記載されている洗面化粧台のように、寝室等のプライベート空間に設置することを主目的とするものであれば、さほどの問題ではないかもしれないけれども、通常の洗面化粧台は洗面室といった他の人の目につく場所に設置されるものであるから、「見せる」収納と「隠す」収納とを両立させる必要がある。また、「隠す」収納といっても、化粧時に使用したりするものを収納するのであるから、取り出しやすい範囲に隠して収納することが求められる。
【０００５】
そこで本発明では、「見せる」収納と「隠す」収納とを両立させつつ、いずれの収納においても取り出したり仕舞ったりすることを円滑に行うことができる洗面化粧台を提供することを目的とする。
【課題を解決するための手段】
【０００６】
上記課題を解決するために本発明に係る洗面化粧台は、洗面ボウルが設けられているカウンターと、前記カウンターの奥側上方に立設されている鏡とを備える洗面化粧台であって、前記カウンターは、前記洗面ボウルが設けられている部分よりも奥行きの狭い化粧用領域を有し、少なくとも前記化粧用領域においてその下方に配置された物品が視認可能なように透明な部材で形成されており、前記化粧用領域の下方には、上方が開放された引き出しを有する引出収納部が設けられ、前記化粧用領域の奥側上方には、内部に収納された物品が少なくとも明瞭には視認できないように半透明又は不透明な部材で形成されている隠蔽収納部が設けられており、前記隠蔽収納部は、前記半透明又は不透明な部材で形成されている蓋を有し、前記蓋を開けた場合に、前記化粧用領域の前に着座した使用者から内部が視認可能なように形成されている。
【発明の効果】
【０００７】
本発明によれば、「見せる」収納と「隠す」収納とを両立させつつ、いずれの収納においても取り出したり仕舞ったりすることを円滑に行うことができる。
【発明を実施するための最良の形態】
【０００８】
本発明を実施するための最良の形態を説明するのに先立って、本発明の作用及び効果について説明する。
【０００９】
本発明に係る洗面化粧台は、洗面ボウルが設けられているカウンターと、前記カウンターの奥側上方に立設されている鏡とを備える洗面化粧台であって、前記カウンターは、前記洗面ボウルが設けられている部分よりも奥行きの狭い化粧用領域を有し、少なくとも前記化粧用領域においてその下方に配置された物品が視認可能なように透明な部材で形成されており、前記化粧用領域の下方には、上方が開放された引き出しを有する引出収納部が設けられ、前記化粧用領域の奥側上方には、内部に収納された物品が少なくとも明瞭には視認できないように半透明又は不透明な部材で形成されている隠蔽収納部が設けられており、前記隠蔽収納部は、前記半透明又は不透明な部材で形成されている蓋を有し、前記蓋を開けた場合に、前記化粧用領域の前に着座した使用者から内部が視認可能なように形成されている。
【００１０】
本発明に係る洗面化粧台では、カウンターが、洗面ボウルが設けられている部分よりも奥行きの狭い、化粧時に化粧品や化粧用具、装身具等を載置可能な化粧用領域を有し、その化粧用領域を構成する部材が透明であって、化粧用領域の下方には、上方が開放された引出収納部が設けられているので、化粧を行おうとして化粧用領域の前方に着座した使用者が、引出収納部に収納された状態の物品を明瞭に視認することができる。化粧を行う際には、イヤリングやピアス、ネックレスといった装身具を実際に見ながら選びたいというニーズがあるので、本発明の構成のように引出収納部に装身具等を収納したままの状態で視認できることで、より楽しく快適に化粧を行うことができる。また、装身具等を引出収納部に収納したままの状態で視認できるので、装身具等を取り出して並べるスペースが不要となって、カウンター上のスペースをより効率的に活用することができる。また、化粧品を化粧用領域に置きながら、引出収納部に収納した装身具等を視認することが出来るため、化粧品に合わせて装身具を選ぶ等の作業も効率的に行うことが出来る。
【００１１】
また本発明に係る洗面化粧台は、カウンターの化粧用領域の奥側上方には、内部に収納した物品が明瞭には視認できないような隠蔽収納部が設けられている。化粧を行う際に必要となるものは、イヤリングやピアス、ネックレスといった装身具といった装身具以外にも、化粧品のビン等やコットン、パフといった化粧用品がある。装身具のようにそれを陳列することが美観を生じさせるもののみならず、化粧品のビン等やコットン、パフといった化粧用品のように、その中には他人になるべく見せないようにすることが好ましいものも化粧には必要となる。そこで、そのように見せたくない物品を収納するために隠蔽収納部を設けることで、より多様な収納ニーズに応えることができる。
【００１２】
更に本発明に係る洗面化粧台において隠蔽収納部は、半透明または不透明な部材で形成されている蓋を有しており、その蓋を開けた場合に化粧用領域の前に着座した使用者が内部に収納した物品を視認可能なように構成されている。従って、化粧をするために化粧用領域の前に着座した使用者は、隠蔽収納部の蓋を開けて内部に収納されている化粧品等を確認しながら、取り出して使用することができると共に、必要に応じて引出収納部に収納されている装身具等を透明なカウンター越しに確認しながら化粧を行うことができる。
【００１３】
また、本発明に係る洗面化粧台において化粧用領域の奥行きは洗面ボウルが設けられている部分よりも狭くなっており、使用者と鏡との距離は洗面ボウルの奥行きよりも近くなっている。化粧を行う際、鏡に近づいて作業を行う場合があるが、その際にも負担なく鏡に近づくことができる。その際にも、洗面ボウルは十分な奥行きを持っているため、手洗い等の作業性が悪くなることはない。また、隠蔽収納部に収納されている化粧品等を取り出して、引出収納部に収納されている装身具等を確認しながら行う化粧も、鏡が近いため自分の顔が見やすく、より快適に行うことができる。
【００１４】
更に、本発明に係る洗面化粧台において隠蔽収納部の蓋は、開けた状態において、隠蔽収納部のカウンター側の前端部よりも奥側に位置する、則ち蓋がカウンター側に延出しないような構成であることも好ましい。そのような構成にすることで、化粧品等を置く化粧用領域を狭くすること無く隠蔽収納部を利用することができる。また、隠蔽収納部の蓋は閉まっている状態から開いている状態に移行する間においても、隠蔽収納部のカウンター側の前端部よりも奥側に位置する、則ち蓋がカウンター側に延出しない構成とするのも好ましい。そのような構成にすることで、開いた状態や閉まった状態だけでなく、蓋の開け閉めを行っている際にも化粧用領域を狭くすることがなく、化粧用領域に化粧品や装飾品等を置いたままで蓋の開け閉めを行うことができる。
【００１５】
引き続いて、上記本発明を実施するための最良の形態について、添付図面を参照しながら説明する。説明の理解を容易にするため、各図面において同一の構成要素に対しては可能な限り同一の符号を付して、重複する説明は省略する。
【００１６】
図１は、本実施形態に係る洗面化粧台ＤＲを示す斜視図である。洗面化粧台ＤＲは、カウンター１０と、鏡２０と、洗面ボウル３０と、キャビネット４０とを備えている。カウンター１０は、長辺側端部１０ａと、短辺側端部１０ｂとを有しており、長辺側端部１０ａから短辺側端部１０ｂに向けて奥行きが徐々に狭まるように構成されている。カウンター１０の、鏡２０に向かって中心よりもやや長辺側端部側に、洗面ボウル３０が設けられている。カウンター１０は、キャビネット４０に載置されており、キャビネット４０によって支えられている。
【００１７】
本実施形態の場合、キャビネット４０は、洗面化粧台ＤＲが設置される壁面に取り付けられている。キャビネット４０は、上方が開放した引出収納部４１を備えており、引出収納部４１の下方には椅子４２が配置されている。
【００１８】
カウンター１０の奥側上方には、鏡２０が立設されている。鏡２０は、一枚鏡であって、カウンター１０の全幅に渡って配置されている。本実施形態の場合、鏡２０は、洗面化粧台ＤＲが設置される壁面に取り付けられている。
【００１９】
カウンター１０の奥側上方には、カウンター１０の上面よりも上方に延出するように隠蔽収納部５０が設けられている。隠蔽収納部５０は、その内部に収納された物品が少なくとも明瞭には視認できないように半透明又は不透明な部材で形成されている。「明瞭には視認できない」とは、内部に収納されている物品の形状や色彩や模様が明確に視認できない程度を示している。従って、ぼんやりと輪郭が認識できたり、赤色系の色のラベルが貼ってあることが認識できたりすることも「明瞭には視認できない」ものとして考えている。
【００２０】
隠蔽収納部５０は、カウンター１０の奥側の辺に沿って設けられており、その辺に沿って、隠蔽収納部５１、隠蔽収納部５２、隠蔽収納部５３、隠蔽収納部５４の４つの収納部に分割されている。
【００２１】
図２に、引出収納部４１を引き出し、隠蔽収納部５０を開いた状態を示す。カウンター１０の洗面ボウル３０よりも右側の部分、則ち洗面ボウル３０の奥行きよりも狭くなっている部分は、化粧用領域１１となっている。化粧用領域１１は、上方の開放された引出収納部４１に配置された物品が視認可能なように透明な部材で形成されている。従って、使用者は、椅子４２を引き出して着座すると、引出収納部４１を引き出さなくても、その中に収納されている物品を確認しながら化粧等の作業を行うことができる。
【００２２】
また、隠蔽収納部５０を開くと、洗面化粧台DRの前で椅子４２に着座している使用者から隠蔽収納部５０に収納されている物品が明瞭に視認可能なように構成されている。従って、使用者は、洗面化粧台DRの前に椅子４２を引き出して着座した際、隠蔽収納部５０を開くことにより、その中に収納されている物品を確認しながら化粧を行うことができる。
【００２３】
引き続いて、隠蔽収納部５０について、４つの収納部の内、隠蔽収納部５１を例にとってより詳細に説明する。図３は、図１及び図２に示した隠蔽収納部５１の断面（カウンター１０の手間から奥に向かう方向に沿った断面）を模式的に示した図である。
【００２４】
図３に示すように、隠蔽収納部５１は、収納部５１０と、蓋部５１１とを備えている。収納部５１０は、箱状の収納部であって、鏡２０に沿った後壁部５１０ａと、カウンター１０の手前側に立設される前壁部５１０ｂと、後壁部５１０ａと前壁部５１０ｂとを繋ぐ側壁部５１０ｃと、を有している。前壁部５１０ｂは、後壁部５１０ａよりも高さが低くなるように形成されている。従って、側壁部５１０ｃは、前壁部５１０ｂから後壁部５１０ａに向かって徐々に高さが高くなるように形成されている。
【００２５】
蓋部５１１は、収納部５１０内に収納された物品が少なくとも明瞭には視認できないように半透明又は不透明な部材で形成されている。蓋部５１１は、収納部５１０の後壁部５１０ａから側壁部５１０ｃに沿って傾斜しており、前壁部５１０ｂに沿ってカウンター１０側に延びている。蓋部５１１は、後壁部５１０ａの上端に取り付けられている回転軸５１２周りに回転して、開閉可能なように構成されている。
【００２６】
従って、蓋部５１１を閉じておくと、蓋部５１１が半透明または不透明な部材で形成されているため、収納部５１０内に収納されている化粧瓶や化粧用品を明瞭には視認できない状態で収納しておくことができる。一方、蓋部５１１を開くと、収納部５１０内に収納されている化粧瓶や化粧用品を視認することができる。特に、収納部５１０は前壁部５１０ｂの高さが低く形成されているので、カウンター１０の前に着座している使用者にとっても容易に化粧瓶や化粧用品を視認することができる。また、蓋部５１１を開いた状態において、蓋部５１１は前壁部５１０ｂよりも奥側に位置する、則ち隠蔽収納部５１の前縁よりもカウンター１０側に延出しない。これにより、隠蔽収納部５１を利用している際においても、化粧用領域１１を狭くすることはないため、隠蔽収納部５１と化粧用領域１１の両方を同時に活用することができる。
【００２７】
収納部５１０の前壁部５１０ｂがカウンター１０と当接する部分の近傍には、照明装置５１０ｄが設けられている。また、カウンター１０が前壁部５１０ｂと当接する部分には拡散部１１１が設けられている。照明装置５１０ｄは、蛍光灯やＬＥＤといった発光要素を含む装置である。拡散部１１１は、不透明な部材で構成されており、照明装置５１０ｄから出射された光を拡散して、カウンター１０と隠蔽収納部５１との間を発光するように構成されている。
【００２８】
照明装置５１０ｄは、図４に示すように、蓋部５１１と収納部５１０の前壁部５１０ｂとの間に設けられていることも好ましい。この位置に設ける場合に、蓋部５１１側に照明装置５１０ｄを設ければ、蓋部５１１を開いた際に収納部５１０の内部を照らすように構成することも可能である。
【００２９】
尚、本実施形態において、蓋部５１１の形態は上述したものに限られない。図５〜図９に蓋部５１１の変形例を示す。図５の（ａ）及び（ｂ）に示す変形例は、収納部５１０の形状に沿った蓋部５１１を、収納部５１０の形状に沿わない形態とした例である。図５の（ａ）に示すように、外観上ボックス形状となるような蓋部５１１ａとして構成しても、図５の（ｂ）に示すように外観上半円ドーム形状となるような蓋部５１１ｂとして構成しても好ましい。
【００３０】
上述した蓋部５１１，５１１ａ，５１１ｂは、回転軸５１２を鏡２０の近傍に設けているけれども、回転軸５１２の位置を手前側に移動させて、蓋部の一部が開くように構成することも好ましい。図６の（ａ）、（ｂ）、及び（ｃ）に示す変形例は、回転軸５１２の位置を手前側に移動させた例を示している。蓋部５１１ｃは蓋部５１１の変形例であり、蓋部５１１ｄは蓋部５１１ａの変形例であり、蓋部５１１ｅは蓋部５１１ｂの変形例である。
【００３１】
また、蓋部を折りたたんで開くようにすることも好ましい。図７にこの例を示す。図７の（ａ）に示す蓋部は、鏡２０側から順に、蓋部５１１ｈ、蓋部５１１ｇ、蓋部５１１ｆに分割されており、それぞれが回転軸５１２によって連結されている。蓋部５１１ｈ、蓋部５１１ｇ、蓋部５１１ｆを、それぞれ回転軸５１２周りに回転させながら折りたたんで開くことができる（図７の（ｂ））。
【００３２】
また、蓋部は収納部の開口部分のみを覆うようにすることも好ましい。図８にこの例を示す。図８の（ａ）に示す蓋部５１１ｉは、収納部５１０の開口部分のみを覆っている。従って、収納部５１０の前壁部５１０ｂは蓋部５１１ｉを閉じた状態でも露出している。図８の（ａ）に示す例は、回転軸５１２を鏡２０の近傍に設けている例であるが、図８の（ｂ）に示すように回転軸５１２を前方にずらして、収納部５１０の開口部の一部を覆う蓋部５１１ｊを形成してもよい。
【００３３】
以上の変形例の場合においても、蓋部５１１ａ〜５１１ｉを開いた状態において、蓋部５１１ａ〜５１１ｉは前壁部５１０ｂよりも奥側に位置する、則ち隠蔽収納部５１の前縁よりもカウンター１０側に延出することはなく、化粧用領域１１を狭くすることはないため、隠蔽収納部５１と化粧用領域１１の両方を同時に活用することができる。
【００３４】
また、蓋部は、収納部５１０と鏡２０との間に格納するようにすることも好ましい。図９にこの例を示す。図９の（ａ）に示すように収納部５１０と鏡２０との間には、蓋部５１１ｋが入り込めるような隙間が設けられている。蓋部５１１ｋは、収納部５１０の開口部のみを覆うように構成されている。蓋部５１１ｋを開ける際には、図９の（ｂ）に示すように、鏡２０に沿うように蓋部５１１ｋを持ち上げる。その後、図９の（ｃ）に示すように、鏡２０と収納部５１０との隙間に蓋部５１１ｋを滑り込ませる。本例の場合には、蓋部５１１ｋを開けた場合でも、鏡２０を遮ることがなく、鏡２０を有効に使用することができる。また、このような蓋部を設けた場合、蓋部が開いた状態だけでなく、蓋部が閉まっている状態から開いている状態に移行する間においても、隠蔽収納部５１のカウンター１０側の前壁部５１０ｂよりも奥側に位置する、則ち蓋部がカウンター１０側に延出することはない。このような構成にすることで、開いた状態や閉まった状態だけでなく、蓋部の開け閉めを行っている際にも化粧用領域１１を狭くすることがなく、化粧用領域１１の隠蔽収納部５１に近い部分に化粧品や装飾品等を置いたままでも、蓋部の開け閉めを行うことができるため、より化粧用領域１１を有効活用することが出来る。
【００３５】
上述した本実施形態では、収納部５１０をカウンター１０上に載置した形態について説明したが、収納部５１０の配置態様はこれに限られない。図１０に示すように、カウンター１０の下側まで延ばした収納部５１８として構成することも好ましい。
【図面の簡単な説明】
【００３６】
【図１】本実施形態に係る洗面化粧台を示す斜視図である。
【図２】図１の隠蔽収納部や引出収納部を開いた状態を示す斜視図である。
【図３】隠蔽収納部を説明するための図である。
【図４】隠蔽収納部を説明するための図である。
【図５】隠蔽収納部の蓋部の変形例を説明するための図である。
【図６】隠蔽収納部の蓋部の変形例を説明するための図である。
【図７】隠蔽収納部の蓋部の変形例を説明するための図である。
【図８】隠蔽収納部の蓋部の変形例を説明するための図である。
【図９】隠蔽収納部の蓋部の変形例を説明するための図である。
【図１０】隠蔽収納部を説明するための図である。
【符号の説明】
【００３７】
ＤＲ…洗面化粧台、１０…カウンター、２０…鏡、３０…洗面ボウル、４０…キャビネット、４１…引出収納部、４２…椅子、５０，５１，５２，５３，５４…隠蔽収納部。
【図１】
2009082390.tif 000003
【図２】
2009082390.tif 000004
【図３】
2009082390.tif 000005
【図４】
2009082390.tif 000006
【図５】
2009082390.tif 000007
【図６】
2009082390.tif 000008
【図７】
2009082390.tif 000009
【図８】
2009082390.tif 000010
【図９】
2009082390.tif 000011
【図１０】
2009082390.tif 000012